(57)【特許請求の範囲】
【請求項１】
反応検査試料であるにおいを人の鼻の位置に供給する経路を形成する供給管と；
上記供給管を介してにおいを人の鼻の位置に供給した後に、上記においを上記鼻の周辺で照射し消去する紫外線を導く光ファイバと；
上記人の鼻の位置に存在しているにおいを排出する排出管と；
を有することを特徴とするにおいによる人の反応を調べるためのＭＲＩ検査用におい供給装置。
【請求項２】
請求項１において、
上記人の鼻の近傍に光触媒が設けられていることを特徴とするにおいによる人の反応を調べるためのＭＲＩ検査用におい供給装置。
【請求項３】
請求項２において、
上記光触媒は、シートに塗布され、この塗布されている上記光触媒に上記光が照射されることを特徴とするにおいによる人の反応を調べるためのＭＲＩ検査用におい供給装置。
【請求項４】
請求項３において、
上記シートは、透明のシートまたは透孔を有するシートであることを特徴とするにおいによる人の反応を調べるためのＭＲＩ検査用におい供給装置。
【請求項５】
請求項１において、
上記供給管、上記排出管は、非磁性であることを特徴とするにおいによる人の反応を調べるためのＭＲＩ検査用におい供給装置。
【請求項６】
請求項１において、
上記供給管は、上記所定のにおいをプラスイオン化またはマイナスイオン化した後に、上記人の鼻の位置に供給する管であることを特徴とするにおいによる人の反応を調べるためのＭＲＩ検査用におい供給装置。
【請求項７】
請求項１において、
プラスイオンを帯びた空気、または、マイナスイオンを帯びた空気を、上記人の鼻の近傍に供給するイオン供給手段を有することを特徴とするにおいによる人の反応を調べるためのＭＲＩ検査用におい供給装置。
【発明の詳細な説明】
【技術分野】
【０００１】
本発明は、粒子供給装置に関する。
【背景技術】
【０００２】
従来、薬を患者に投与する場合、口から飲む方法、注射による方法の他に、鼻を経由して投与する方法がある（たとえば、特許文献１参照）。
【先行技術文献】
【特許文献】
【０００３】
【特許文献１】特開平０７−３２３０８６号公報
【発明の概要】
【発明が解決しようとする課題】
【０００４】
しかし、鼻を経由して薬を投与する従来例では、気体で構成されている薬を一定量だけ患者に投与する場合、患者に投与されずに、鼻の周辺に漂っている薬を除去することが困難であるという問題がある。また、患者に投与されない薬が空気中に浮遊すると、患者の周りの医師等、医療機関従事者が吸ってしまう可能性が残るという問題がある。
【０００５】
上記問題は、気体に限らず、におい、液体、粉末等、粒子一般についても同様に生じる問題である。
【０００６】
つまり、上記従来例では、人の鼻を経由して気体、におい、液体、粉末等の粒子を供給する場合、必要量以上の粒子を除去することができないという問題があり、しかも、人の鼻から人体に入らなかった粒子が空気中に浮遊することが少なくないという問題がある。
【０００７】
本発明は、人の鼻を経由して気体、におい、液体、粉末等の粒子を供給する場合、必要量以上の粒子を除去することができ、しかも、人の鼻から人体に入らなかった粒子が空気中に浮遊することが少ない粒子供給装置を提供することを目的とする。
【課題を解決するための手段】
【０００８】
本発明のにおいによる人の反応を調べるためのＭＲＩ検査用におい供給装置は、反応検査試料であるにおいを人の鼻の位置に供給する経路を形成する供給管と、上記供給管を介してにおいを人の鼻の位置に供給した後に、上記においを上記鼻の周辺で照射し消去する紫外線を導く光ファイバと、上記人の鼻の位置に存在しているにおいを排出する排出管とを有することを特徴とする。
【発明の効果】
【０００９】
本発明によれば、人の鼻を経由して気体、におい、液体、粉末等の粒子を供給する場合、必要量以上の粒子を除去することができ、しかも、人の鼻から人体に入らなかった粒子が空気中に浮遊することが少ないという効果を奏する。
【図面の簡単な説明】
【００１０】
【図１】本発明の実施例１であるにおい供給装置ＳＰ１を示す断面図である。
【図２】図１のＩＩ−ＩＩ線から見た断面図である。
【図３】本発明の実施例２であるにおい供給装置ＳＰ２を示す断面図である。
【図４】図３のＩＶ−ＩＶ線から見た断面図である。
【図５】本発明の実施例３を示すにおい供給装置ＳＰ３を示す図である。
【図６】図５のＶＩ−ＶＩ線から見た断面図である。
【発明を実施するための形態】
【００１１】
発明を実施するための形態は、次の実施例である。
【実施例１】
【００１２】
図１は、本発明の実施例１であるにおい供給装置ＳＰ１を示す断面図である。
【００１３】
図２は、図１のＩＩ−ＩＩ線から見た断面図である。
【００１４】
におい供給装置ＳＰ１は、光ファイバ１０と、凹レンズ１１と、内管２０と、外管３０とを有する。光ファイバ１０は、人の鼻Ｎの近傍に光を導く光導路である。図示しない光源が設けられ、この光源は、光ファイバ１０に光を供給する光源である。なお、上記光は、いわゆる光触媒であり、紫外線が使用される。なお、紫外線の代わりに可視光を使用するようにしてもよい。
【００１５】
内管２０は、人の鼻Ｎの位置に所定のにおいを供給する経路を形成する供給管である。外管３０は、人の鼻Ｎの位置に存在しているにおい、空気を排出する排出管である。
【００１６】
また、鼻Ｎと外管３０とが接着され、内管２０内の気体、外管３０内の気体が外に漏れない構造になっている。なお、鼻Ｎと外管３０との接着手段は、鼻Ｎと外管３０とが密着し、内管２０内の気体、外管３０内の気体が外に漏れない構造であれば、どのような手段であってもよい。
【００１７】
次に、上記実施例の動作について説明する。
【００１８】
においを人の鼻Ｎに供給する前に、次の準備を行う。つまり、光ファイバ１０の端部（鼻Ｎと反対の端部）を、図示しない光源に接続する。内管２０の端部（鼻Ｎと反対の端部）を、図示しないにおい発生源に接続し、内管２０の一部に、空気導入用の開口を設ける。また、外管３０の端部（鼻Ｎと反対の端部）を、図示しない吸引用ポンプに接続する。
【００１９】
そして、においを人の鼻Ｎに供給する場合、上記準備が整った後に、吸引用ポンプで吸引を開始する。これによって、におい発生源から、所定のにおいが内管２０を経由して、人の鼻Ｎに達し、その人がにおいを感じる。所定時間、においを供給した後に、におい発生源のドア（図示せず）を閉じ、空気のみが人の鼻Ｎに供給される。ここで、図示しない光源が紫外線を発生し、光ファイバ１０を経由し、凹レンズ１１に達する。この凹レンズ１１で、紫外線が拡散され、鼻の穴Ｎ１、Ｎ２の周辺を照射し、鼻の穴Ｎ１、Ｎ２の近傍に存在しているにおいの素（においの分子）を分解し、においを消去する。紫外線が光触媒となって、においを消去し、つまり脱臭する。
【００２０】
におい供給装置ＳＰ１は、人に特定の匂いを嗅がせる場合に使用する装置である。たとえば、人に特定のにおいを嗅がせ、その反応を調べる場合に使用する。反応を調べる場合、ＭＲＩを使用するようにしてもよい。この場合、内管２０、外管３０を非磁性とすれば、ＭＲＩに悪影響を与えない。
【００２１】
また、においを鼻に供給するためだけに、におい供給装置ＳＰ１を使用するのではなく、薬を患者に投与する場合に使用することができる。たとえば、頭痛薬等の鎮痛剤、筋肉弛緩剤、睡眠薬等の薬（薬品）を投与することができる。この場合、気体以外に、液体、粉末等の粒子（薬品）であってもよい。
【００２２】
実施例１において、光ファイバ１０を複数本、設けるようにしてもよい。光ファイバ１０が、内管２０に接着されていてもよく、外管３０に接着されていてもよい。
【００２３】
実施例１において、凹レンズ１１を削除するようにしてもよい。また、凹レンズ１１を削除し、光ファイバ１０の先端部分に、凹レンズ形状を形成するようにしてもよい。
【００２４】
実施例１では、内管２０から鼻Ｎににおい、吸気を供給し、外管３０を経由してにおい、呼気を排出しているが、これとは逆に、外管３０から鼻Ｎににおい、吸気を供給し、内管２０を経由してにおい、呼気を排出するようにしてもよい。
【００２５】
さらに、実施例１において、内管２０、外管３０の断面が略楕円形状であるが、楕円形状以外の形状にしてもよい。
【００２６】
なお、上記においとして、ラベンダー等を使用すれば、患者がリラックスする。
【実施例２】
【００２７】
図３は、本発明の実施例２であるにおい供給装置ＳＰ２を示す断面図である。
【００２８】
図４は、図３のＩＶ−ＩＶ線から見た断面図である。
【００２９】
におい供給装置ＳＰ２は、におい供給装置ＳＰ１において、シート４０と二酸化チタン（ＴｉＯ２）５０とが付加された装置である。
【００３０】
透明シート４０は、厚さがたとえば、１０μｍ〜数ｍｍであり、図３には省略してあるが、外管３０の端部に固定されている。
【００３１】
二酸化チタン５０は、光触媒であり、人の鼻の近傍に設けられる。紫外線だけでも、においを消去する効果があるが、二酸化チタン５０に光を照射すると、光触媒の効果が促進される。なお、二酸化チタン５０は、透明シート４０に塗布され、光ファイバ１０、凹レンズ１１、透明シート４０を経由した光が照射される位置に設けられている。透明シート４０の光ファイバ１０側に二酸化チタン５０を塗布すれば、透明シート４０が透明である必要はない。
【００３２】
実施例２の動作は、基本的には、実施例１の動作と同じであるが、消臭動作がやや異なる。つまり、実施例２において、二酸化チタン５０に紫外線が当たると、二酸化チタン５０の表面から電子が飛び出し、この電子が抜け出た穴は、正孔（ホール）と呼ばれ、プラスの電荷を帯びている。上記正孔は強い酸化力を持ち、水中に存在しているＯＨ−（水酸化物イオン）等から電子を奪う。この電子が奪われたＯＨ−は、非常に不安定な状態であるＯＨラジカルになる。このＯＨラジカルは、強力な酸化力を持つので、その近くに存在している有機物から電子を奪い、自分自身が安定になろうとする。そして、電子を奪われた有機物は、結合を分断され、最終的には二酸化炭素や水になる。
【００３３】
有機物の１つに、においがあるので、においの分子がその結合が分断され、二酸化炭素や水になる。また、アセトアルデヒド、アンモニア、硫化水素等の悪臭も分解される。
【００３４】
上記のように、実施例２では、二酸化チタン５０が設けられているので、光触媒の効果が促進され、実施例１よりも短時間で消臭され、また実施例１よりも消臭量が多い。
【００３５】
二酸化チタン５０の代わりに、他の光触媒を設けるようにしてもよい。
【実施例３】
【００３６】
図５は、本発明の実施例３を示すにおい供給装置ＳＰ３を示す図である。
【００３７】
図６は、図５のＶＩ−ＶＩ線から見た断面図である。
【００３８】
におい供給装置ＳＰ３は、におい供給装置ＳＰ２において、透明シート４０の代わりにシート４１が設けられ、二酸化チタン５０の代わりに二酸化チタン５１が設けられている。
【００３９】
シート４１は、透明でなくてもよいが、多数の透孔４１ｈを有し、セラミック等で構成されているシートである。二酸化チタン５１にも多数の透孔５１ｈが設けられている。なお、二酸化チタン５１に透孔５１Ｈを設けなくてもよい。
【００４０】
実施例３において、セラミックには多数の透孔４１ｈが設けられ、光ファイバ１０から放出された光が、この透孔４１ｈを介して、二酸化チタン５１に到達し、光触媒の作用をおこし、においが消去される。
【００４１】
また、上記実施例において、内管２０または外管３０は、気体、におい、液体、粉末等の所定の粒子をプラスイオン化またはマイナスイオン化した後に、人の鼻Ｎの位置に供給する供給管であってもよい。このように、気体、におい、液体、粉末等の所定の粒子を予めイオン化して、鼻Ｎに供給し、余分になった粒子に光を当てれば、イオン化された粒子の分解が促進され、また、二酸化チタン５１等の光触媒を併用すれば、イオン化された粒子の分解がさらに促進される。
【００４２】
なお、上記実施例において、光、光触媒を使用する代わりに、プラスイオンを帯びた空気、またはマイナスイオンを帯びた空気をにおいに当てるようにしてもよい。
【００４３】
つまり、人の鼻の位置に所定の粒子を供給する経路を形成する供給管と、プラスイオンを帯びた空気またはマイナスイオンを帯びた空気を、上記人の鼻の近傍に供給するイオン供給手段と、上記人の鼻の位置に存在している粒子を排出する排出管とを有する粒子供給装置を想定するようにしてもよい。
【符号の説明】
【００４４】
ＳＰ１〜ＳＰ３…におい供給装置、
１０…光ファイバ、
２０…内管、
３０…外管、
４０…透明シート、
４１…シート
５０、５１…二酸化チタン。
【図１】
0005660819.tif 000002
【図２】
0005660819.tif 000003
【図３】
0005660819.tif 000004
【図４】
0005660819.tif 000005
【図５】
0005660819.tif 000006
【図６】
0005660819.tif 000007